(57)【要約】【課題】折り畳んだ椅子等の家具の不慮の開きを防止して、安全性を確保すると共に、床から浮いた状態で保管して、保管スペースを少なくする。【解決手段】略冂字型で背もたれ部分３、前脚部分５を有する椅子基部１と、座板部３０を軸５０で折り畳み自在に取り付ける。椅子基部１の下部に沿った形状の後脚部４０を座板部３０と交差し、椅子基部１に回転自在に取り付けて、椅子６０とする。椅子基部１の収容部１０内に、フック２５を突出した操作部材１７を収容する。椅子６０の折り畳み（ｂ）、フック２５を上げて操作部材１７の係止突起２３を座板部３０の切欠き３６に係止すれば、座板部３０の回動を規制して折り畳み状態を維持できる（ａ）。フック２５をクローゼットのパイプに掛けて保管できる。フック２５を下げ係止突起２３と切欠き３６との係止を解除して（ｂ）、通常の折り畳み椅子と同様に開いて、椅子として使用する。【選択図】図３
2004016266.tif 000002
【特許請求の範囲】
【請求項１】
開いて使用状態とし、閉じて折り畳み状態とすることができる家具において、
折り畳み状態を保持するロック機構を設け、
折り畳み状態で、上端部となる位置に、握ることができ又は掛けることができる係止手段を設けると共に、
前記係止手段を上昇位置とした際に前記ロック機構をロック状態とし、
前記係止手段を下方状態とした際に前記ロック機構を解除状態に操作できることを特徴とする折り畳み家具。
【請求項２】
（１）　上部を背もたれ部、下部を前脚部とする略冂字型の椅子基部を縦に配置し、前記椅子基部内に、座板部を、前記椅子基部と交差するように横方向に配置し、前記椅子基部と前記座板部とを交差点で互いに回動自在となるように軸ピンで連結する。
前記椅子基部の上部に、後脚部の上端を回動自在に取付け、前記後脚部と、座板部の後側の端部とを交叉させて、交差部周辺で互いに回動自在となるように取り付ける。前記座板部は、折畳んだ際に、前記椅子基部内で、前記前脚部間に収容される。以上で、椅子本体を構成する。
（２）　前記椅子基部の材厚内に中空の収容部を形成し、該収容部内に、操作部材を上下動可能に内装する。
前記操作部材は、中央部にフックを有する横杆の両端に下方に向けて縦杆を連設し、該縦杆の下端部にロック用の係止突起を形成して形成する。
前記操作部材のフックは、前記背もたれ部の上端部に位置する嵌合孔から収容部の上方に突出可能としてある。
前記係止突起は、上昇位置で前記収容部の下端部の係止孔から前記収容部の側方に突出し、
下降位置で、収容部内に位置する。
（３）　前記座板部の周縁に、前記係止突起が上昇位置の際に、前記座板部の回動を規制するように、前記係止突起と係止する係止切欠きを形成する。
（４）　以上のようにして、構成することを特徴とする折り畳み椅子。
【発明の詳細な説明】
【０００１】
【発明の属する技術分野】
使用時に開いて家具としての所定の機能を発揮し、不使用時に閉じて折り畳み可能な家具であって、主に椅子に適用する折り畳み家具及び折り畳み椅子に関する。
【０００２】
【従来の技術】
従来、折り畳みの椅子では、使用しない場合に、折り畳み、壁などに立てかけて、あるいは横に寝かせて保管していた。
【０００３】
【発明が解決しようとする課題】
前記従来の場合、縦に保管した場合には倒れたる危険もあり、折り畳んだ椅子を多数を重ねて保管する場合に、崩れる危険もあった。また、いずれの場合でも、床面など平面に保管場所のスペースが必要であり場所を取る問題点があった。
【０００４】
【課題を解決するための手段】
然るにこの発明では、折り畳み状態を保持するロック機構を設け、ロック機構を操作する係止手段を設けたので、前記問題点を解決した。
【０００５】
即ちこの発明は、開いて使用状態とし、閉じて折り畳み状態とすることができる家具において、折り畳み状態を保持するロック機構を設け、折り畳み状態で、上端部となる位置に、握ることができ又は掛けることができる係止手段を設けると共に、前記係止手段を上昇位置とした際に前記ロック機構をロック状態とし、前記係止手段を下方状態とした際に前記ロック機構を解除状態に操作できることを特徴とする折り畳み家具である。
【０００６】
また、他の発明は、以下のようにして、構成することを特徴とする折り畳み椅子である。
（１）　上部を背もたれ部、下部を前脚部とする略冂字型の椅子基部を縦に配置し、前記椅子基部内に、座板部を、前記椅子基部と交差するように横方向に配置し、前記椅子基部と前記座板部とを交差点で互いに回動自在となるように軸ピンで連結する。前記椅子基部の上部に、後脚部の上端を回動自在に取付け、前記後脚部と、座板部の後側の端部とを交叉させて、交差部周辺で互いに回動自在となるように取り付ける。前記座板部は、折畳んだ際に、前記椅子基部内で、前記前脚部間に収容される。以上で、椅子本体を構成する。
（２）　前記椅子基部の材厚内に中空の収容部を形成し、該収容部内に、操作部材を上下動可能に内装する。前記操作部材は、中央部にフックを有する横杆の両端に下方に向けて縦杆を連設し、該縦杆の下端部にロック用の係止突起を形成して形成する。前記操作部材のフックは、前記背もたれ部の上端部に位置する嵌合孔から収容部の上方に突出可能としてある。前記係止突起は、上昇位置で前記収容部の下端部の係止孔から前記収容部の側方に突出し、下降位置で、収容部内に位置する。
（３）　前記座板部の周縁に、前記係止突起が上昇位置の際に、前記座板部の回動を規制するように、前記係止突起と係止する係止切欠きを形成する。
【０００７】
前記における家具とは、主に椅子への適用が最適であるが、他の家具にも適用できる。例えば、テーブル板と脚部とからなるテーブルで、脚部を折り畳んで、テーブル板に添えて折り畳み、この状態を保持するロック機構を設けて構成することもできる。この場合、テーブル板の周囲や裏面に係止手段を設ける。
【０００８】
また、前記における係止手段の「握ることができ又は掛けることができる」とは、係止手段を手で握って家具を運搬でき又は、係止手段を使って、クローゼットのパイプや鴨居、他の壁の突起物等に掛けることができることを指す。「握ること」「掛けること」のいずれか一方ができれば良いが、両方の機能を有することが望ましい。
【０００９】
【発明の実施の形態】
（１）　横部材３の両端に縦部材５、５の上端を一体に連設して、略冂字型の椅子基部１とする。横部材３と縦部材５の上部を背もたれ部とし、縦部材５、５の下部を前脚部とする。椅子基部１を、縦方向に斜めに配置し、椅子基部１内に、座板部３０を、椅子基部１と交差するように横方向に配置する。椅子基部１と座板部３０とは互いの中央部で交差し、交差点に軸ピン５０、５０を挿通して互いに回動自在となるように連結する。
椅子基部１の上部に、後脚部４０の上端４５を軸５４周りに回動自在となるように蝶番５３を取付けて連結する。後脚部４０と、座板部３０の後側３４の端部とを交叉させる。座板部３０に固定した取付金具の軸５６（交差部の周辺に位置する）の周りに回動自在となるように取り付ける。
座板部３０は、折畳んだ際に、椅子基部１の厚さ内で、前脚部間に収容される。また、後脚部４０は、折畳んだ際に椅子基部１に重なり、椅子基部１の外周縁内に納まる。
【００１０】
（２）　中央部にフック２５を有する横杆１８の両端に下方に向けて縦杆２２、２２を連設し、縦杆２２、２２の下端部を内側に向けて屈曲してロック用の係止突起２３を形成して、操作部材１７を構成する（図４（ａ））。
椅子基部１の横部材３と縦部材５、５の材厚内に中空の収容部１０を形成し、該収容部１０内に、操作部材１７を上下動可能に内装する。操作部材１７のフック２５は、横部材３の上方に連通する嵌合孔１３から収容部１０の上方に突出する。係止突起２３、２３は、操作部材１７が上昇位置で収容部１０の下端部の係止孔１４、１４から外方に突出し、下降位置で、突出せず、収容部１０内に位置している。
【００１１】
（３）　座板部３０の周縁に、操作部材１７が上昇位置の際に係止突起２３と係止して、座板部３０の回動を規制するように、係止切欠き３６を形成する。
【００１２】
（４）　以上のようにして、折り畳み可能な椅子６０を構成する（図１、図２）。
【００１３】
（５）　椅子６０のロックを解除して開いた状態で、通常の椅子と同様に座板部３０に腰を下ろして座ることができる。また、椅子６０を折り畳めば通常の折り畳み椅子と同様に椅子基部１、座板部３０及び後脚部４０を重ねて折り畳むことができる。この状態で、座板部３０は、椅子基部１の厚さ内に収容される。
【００１４】
（６）　折畳んだ状態で、フック２５を上方へ引けば、操作部材１７は、上昇して、収容部１０あら突出した係止突起２３、２３が座板部３０の係止切欠き３６、３６に係止してロックされ、折畳んだ状態が保持される。また、フック２５を握って、折畳んだ椅子を持ち上げれば、自動的に折り畳み状態がロックされると共に、容易に運ぶことができる。また、折畳んだ状態で、フック２５をクローゼット等の横パイプ６１にかけて、床から浮いた状態で椅子６０を保管できる（図２（ａ）（ｂ））。
【００１５】
（７）　とりわけ、狭いオフィスや狭い住居などで、居住者や客人用の折り畳み椅子をクローゼットに並べて掛止しておき、居住者や客人が部屋に入った場合、クローゼットから折り畳み椅子を取り出し、フック２５を下げて、ロックを解除して椅子６０を開いて並べる（図１（ａ）（ｂ））。代わりに、居住者や客人の上着などを掛けたハンガーを、椅子６０のあったクローゼットに納めることができる。よって、狭いスペースを有効活用できる。
【００１６】
【実施例】
図面に基づきこの発明の実施例を説明する。
【００１７】
［Ａ］椅子基部１の構成
【００１８】
（１）　横部材３の両端４、４に下方に向けて、縦部材５、５を形成して、角部を丸めた略冂型の椅子基部１を形成する（図４（ｂ））。横部材３と縦部材５、５の上部から背もたれ部を形成し、縦部材５、５の下部から前脚部を構成する。
【００１９】
縦部材５、５の中央部に板厚内を横方向に貫通する軸孔９を穿設する。縦部材５、５は、下端から軸孔９の若干上まで、幅広で形成され、内側縁の傾斜段部８を介して幅を縮めて形成してある。即ち幅広部分６で、両縦部材５、５の内側の間を距離Ｄ１で形成し、傾斜段部８を介して、幅狭部分７を距離Ｄ２で形成する（Ｄ１＜Ｄ２）。
【００２０】
横部材３と縦部材５、５の上部との位置で板厚内に、中空部を形成して、操作部材の収容部１０を形成する（図４（ｂ））。
【００２１】
（２）　金属線材からなる横杆１８の中央部を上に凸となるように屈曲して屈曲部１９を形成し、横杆１８の両端に下方に向けて、金属線材からなる縦杆２２、２２を連設し、両縦杆２２の下端部を内側に向けて屈曲して、ロック用の係止突起２３を形成する。屈曲部１９の中央部上端に、ハンガーのようにクローゼットのパイプや突起等に係止できると共に手で握ることができる形状のフック２５を連設する。以上のようにして、操作部材１７を構成する（図４（ａ））。係止突起２３、２３の先端２４、２４間の距離Ｄ３は、操作部材１７を椅子基部１の収容部１０に配置して操作部材１７が下がって位置で、収容部１０内にあり、上がった位置で収容部１０から外側に突出できるように形成してある（即ち、Ｄ１≦Ｄ３＜Ｄ２）。
【００２２】
（３）　収容部１０内に操作部材１７を収容する（図３（ａ）（ｂ））。収容部１０は、横部材３内に、操作部材１７の横杆１８が平行に上下移動できる横部１１が形成されている。また、収容部１０は、縦部材５、５内に、操作部材１７の縦杆２２が縦に移動できる（長さ方向に摺動できる）ような縦部１２が形成され、縦部１２は縦杆２２が滑らかに摺動できるような広さを有すると共に、縦杆２２が横方向にぶれない程度に狭い空間に形成されている（図４（ｂ））。
【００２３】
また、収容部１０の横部１１の中央部上側に嵌合孔１３が形成され、横部材３の上縁に向けて開放している。嵌合孔１３は、操作部材１７が最も上方に位置した際に、フック２５の先端２６が横部材３の上縁から突出し、かつ、操作部材１７の屈曲部１９の上側凸縁２０が嵌挿できるように形成されている。また収容部１０で、嵌合孔１３の下方に係止突部１５が形成され、係止突部１５の両側で、収容部１０は下方に向けて開口している。
【００２４】
また、収容部１０の縦部１２、１２は、縦部材５の傾斜段部８付近に設けた係止孔１４で、縦部材５の内側に向けて開口している。
【００２５】
従って、操作部材１７の上昇位置で、フック２５は嵌合孔１３から上方に突出し、屈曲部１９の上側凸縁２０が嵌合孔１３に嵌挿され、横方向のぶれが防止される。また、収容部１０の上縁は、操作部材１７の横杆１８の上縁に沿って形成されているので、収容部１０の上縁と操作部材１７の上縁とが当接している。また、この状態で、係止突起２３、２３は、縦部材５の幅狭部分７に位置し、先端２４が係止孔１４から内側に向けて突出する（図３（ｂ））。
【００２６】
また、操作部材１７の下降位置で、フック２５の先端２６が、収容部１０内に位置し、屈曲部１９の下側凹縁２１が、嵌合孔１３の下方に位置する係止突部１５に嵌装する。この状態で、操作部材１７の横杆１８の両端部（縦杆２２の上端部）内縁は、収容部１０の下縁に沿って当接し、また縦杆１９は収容部１０の縦部１２内に位置しているので、操作部材１７が横方向にぶれるおそれはない（図３（ｂ））。また、屈曲部１９が係止突部１５に嵌合しているので、操作部材１７が下方に落下することを防止すると共に、操作部材１７の横方向のぶれを防止する。
【００２７】
（４）　椅子基部１の厚さｔ１は、例えば、２７ｍｍとする（図１（ｂ）、図２（ｂ））。
【００２８】
［Ｂ］座板部３０の構成
【００２９】
（１）　板状で、椅子基部１の内縁に沿った外縁形状で、即ち椅子基部１の内側に収容できる形状で、座板部３０を構成する（図５（ａ））。
【００３０】
椅子基部１の縦部材５の幅狭部分７に対応した幅Ｄ５の幅広部３１が一側（前側３３）を形成し（Ｄ２＞Ｄ５）、縦部材５の幅広部分６に対応した幅Ｄ４の幅狭部３２を一側（後側３４）を形成する（Ｄ１＞Ｄ４）。幅広部３１と幅狭部３２との間に、縦部材５の傾斜段部８に対応した、傾斜段部４４を形成する。
【００３１】
傾斜段部４４、４４の板厚内に、切欠き３６を形成し、切欠き３６の底は、幅狭部３２から連続した幅Ｄ４となるように形成されている。
【００３２】
また、縦部材５、５の軸孔９、９に対応した位置に、軸穴３７、３７を形成する。
【００３３】
（２）　座板部３０の厚さｔ２は、椅子基部１の材厚内に収容できるように、椅子基部１の厚さｔ１と同等又はそれ以下で形成される。例えば、実施例では１８ｍｍとする（図１（ｂ））。
【００３４】
［Ｃ］後脚部４０の構成
【００３５】
（１）　後脚部４０は、並列した縦部材４１、４１の下部を横部材４７で連結した正面略Ｈ字状に形成されている（図５（ｂ））。
【００３６】
後脚部４０の縦部材４１は、折り畳んで後脚部４０を椅子基部１に重ねた際に、椅子基部１の縦部材５、５と重なるように、椅子基部１の縦部材５の上端部と下端部を除いた形状から、構成する。即ち、椅子基部１の縦部材５の幅広部分６と対応した幅広部４２、縦部材５の幅狭部分７と対応した幅狭部４３、椅子基部１の傾斜段部８と対応した傾斜段部４４とから構成する。
【００３７】
（２）　縦部材４１の下端部の内側間に、横部材４７を架設固定してあり、以上の形状は、一体に形成するが、縦部材４１、４１と後脚部４７とを別部材とすることも可能である。横部材４７の上縁４８の位置は、折畳んだ状態で、座板部３０の後側３４の縁３４ａ（下縁）の位置より下方に配置され、椅子の開閉作業時に、座板部３０の回動に支障が無いように形成されている（図２（ａ）（ｂ））。
【００３８】
（３）　後脚部３０の厚さｔ３は、例えば、１８ｍｍとする（図１（ｂ）、図２（ｂ））。
【００３９】
［Ｄ］部品の組立（折り畳み可能なの椅子６０の構成）
【００４０】
（１）　椅子基部１の内側に、座板部３０を重ね、座板部３０の軸穴３７、３７と椅子基部１の軸孔９、９とを連通させる。軸孔９、９の外側から軸穴３７まで軸ピン（ボルト）５０を挿入して、椅子基部１に座板部３０を取付ける。軸ピン５０、５０は軸孔９、９内で回転を規制されて締まって取付けられ、軸ピン５０の先端５１は軸穴３７と緩く納まっており、座板部３０は、軸ピン５０、５０の周りに回動自在となっている。この際、座板部３０の上縁（前側３３の縁）と椅子基部１の横部材３の下縁との間に間隙５２が形成されているので、座板部３０の回動に支障がない（図２（ａ）、図３（ａ））。
【００４１】
（２）　椅子基部１の裏面側に後脚部４０を重ね、後脚部３０の縦部材４１、４１の上縁４５、４５と椅子基部１の裏面との接点が軸５４、５４となるように、両部材間に蝶番５３、５３を固定し、椅子基部１に対して後脚部４０が回動自在となるように取付ける（図２（ｂ））。
【００４２】
（３）　座板部３０の後側３４の周面（材厚内）に、Ｌ字状の取付板５５の一片を固定し、他片の先端側を、後脚部４０の縦部材４１外面（材厚内）に配置し、取付板５５と後脚部４０と軸５６で、回動自在となるように、取り付ける（図１（ｂ））。軸５６は、折り畳みが滑らかに行われるように、後脚部４０に緩く軸止され（例えば、厚さ方向に直角の方向に長い長孔に軸止され）ている。尚、折り畳みが滑らかに行われれば、軸５６と取付板５５を緩く軸止することもできる。
【００４３】
ここで、軸５６、５６の位置、即ち取付板５５、５５の位置は、椅子６０を折畳んだ際に、椅子基部１と後脚部４０とが重なると共に、椅子６０を開いた際に、座板部３０が、水平となり、あるいは若干前側３３が上がるように傾斜して配置されるような位置に、取り付ける（図１（ｂ）、図２（ｂ））。
【００４４】
（４）　以上のようにして、折り畳み可能な椅子６０を構成する（図１、図２）。
【００４５】
［Ｅ］椅子６０の折り畳み
【００４６】
（１）　椅子６０として使用する際には、通常の椅子と同様に、椅子基部１と座板部３０を持って開けば、座板部３０を略水平方向（若干前側３３が高く傾斜する）に配置して、椅子基部１の前脚部及び後脚部４０で支える椅子を構成する（図１（ａ）（ｂ））。椅子基部１は、下端が前側（座板部３０の前側３３）で、横部材３が後側（座板部３０の後側３４）となるように、斜めに配置されている。
【００４７】
この状態で、フック２５は操作部材１７と共に下がった状態にあり、フック２５の先端２６は、収容部１０の嵌合孔１３内に位置しているので（図３（ｂ））、使用者の衣類等が誤って、フック２５に引っかかることはない。また、フック２５が下がった状態にあるので、操作部材１７の先端部の係止突起２３、２３は、収容部１０内に納まっているので、椅子基部１の外周から突出せず、使用者の衣類等が誤って、係止突起２３、２３に引っかかることはない。
【００４８】
また、操作部材１７が下がった状態で、屈曲部１９の下側凹縁２１が係止突部１５に嵌装係止して、フック２５（操作部材１７）の収容部１０内への落下が防止され、かつ横方向の移動が規制され、フック２５は現位置を保つ。
【００４９】
（２）　椅子６０を使用しない際には、通常の椅子６０と同様に折り畳む。即ち、椅子基部１の上端部（背板部の上端部）と座板部３０の前側３３を閉じるように折り畳む。この際、座板部３０は、椅子基部１の内側に嵌挿され、
座板部３０の厚さｔ２＜椅子基部１の厚さｔ１
であるので、座板部３０は椅子基部１の厚さｔ１内に納まる。
【００５０】
また、後脚部４０は、椅子基部１と重なり、正面視で、椅子基部１の外縁から外側に突出しない（図２（ａ）（ｂ））。
【００５１】
従って、椅子６０全体として、座板部３０の厚さｔ２と後脚部４０の厚さｔ３の合計程度の厚さ（ｔ１＋ｔ３＝４５ｍｍ）に納まる。尚、この状態で、通常の椅子３０と同様に立てかけて保管できる。
【００５２】
（３）　続いて、フック２５の上側屈曲部分２７が、横部材３の上縁から突出しているので、これを摘んで、フック２５を上方に引き出せば、操作部材１７が、収容部１０内で上昇し、係止突起２３が、座板部３０の切欠き３６内に突出して係止する（図３（ｂ））。この状態で、椅子基部１内に座板部３０が重なった状態が保持されるので、椅子基部１、座板部３０及び後脚部４０が重なった状態から外れるおそれがない。
【００５３】
この状態で、フック２５を握れば、折畳んだ椅子６０を持ち運びし易く、椅子６０は自重により下がっているので、移動中に不意に椅子６０が開くおそれがない。また、この状態で、衣類のハンガーと同様の取扱いで、クローゼットなどの横パイプ６１にフック２５で、折畳んだ椅子６０を掛けることができる（図２（ａ）（ｂ））。また、同様に、鴨居や壁のフックなどに同様に折り畳んだ椅子６０を掛けることができ、従って、椅子６０を不使用時に、床面から浮いた状態で保管できる。
【００５４】
［Ｆ］他の実施例
【００５５】
（１）　前記実施例における、椅子基部１、座板部３０、後脚部４０の材質は任意であり、例えば積層した合板を使用するが、金属、樹脂（剛性を有することが望ましい）等、従来椅子に使用される他の材質とすることもできる。
【００５６】
（２）　前記実施例において、椅子６０を、背もたれ部及び前脚部を構成する椅子基部１、座板部３０及び後脚部４０とから構成したが、通常使用される折り畳み椅子であれば、他の構成とすることもでき（図示していない）、その構成は任意である。例えば、座板部の下面に前脚部と後脚部とを交差させて取付け、座板部の上面に背板部を取り付けて、折り畳み自在に形成することもできる（図示していない）。
【００５７】
（３）　前記実施例において、座板部３０の軸穴付近（椅子基部１の軸孔付近）に切欠き３６を設けて、係止突起２３を係脱させたので、椅子を開いた状態で、切欠き３６や係止突起２３が目立たなく、意匠的に好ましいが、他の位置に設けることもできる。例えば、座板部３０の前側３３の縁に切欠き３６を設けることもできる（図示していない）。この場合には、操作部材１７、収容部１０も対応した構造とする。
【００５８】
（４）　前記実施例において、操作部材１７を収容部１０内で、下方位置側に付勢するように、ばね等を設けることもできる（図示していない）。
【００５９】
【発明の効果】
折畳み可能な椅子等の家具で、折り畳み状態を保持するロック機構を設けると共に、上昇してロック状態とし、下降してロックを解除するようにロック機構を操作し、かつ握ることができる係止手段を設けたので、折畳んだ椅子を係止手段を握って持ち上げれば、自動的にロックされ、そのまま持ち運ぶことができる効果がある。また、折畳んだ状態の椅子が、不意に開くおそれが無く、椅子の安全性を確保できる効果がある。更に、折畳んだ状態の家具を係止手段を使って、クローゼットの横パイプなどに係止して、床から浮いた状態で保管できるので、保管スペースを大幅に少なくできる効果がある。
【図面の簡単な説明】
【図１】この発明の実施例の折り畳み椅子で、開いた状態を表し、（ａ）は正面図、（ｂ）は右側面図である。
【図２】同じく折り畳んだ状態を表し、（ａ）は、正面図、（ｂ）は右側面図である。
【図３】同じく折り畳んだ状態の椅子基部と座板部との係止を表す縦断面図で、（ａ）は係止状態、（ｂ）は係止解除状態、を夫々表す。
【図４】この発明の椅子を構成する部品で、（ａ）は操作部材の正面図、（ｂ）は椅子基部で、左側を破切した正面図である。
【図５】同じく（ａ）は座板部で、左側を破切した正面図、（ｂ）は後脚部の正面図である。
【符号の説明】
１　　椅子基部
３　　横部材（椅子基部）
５　　縦部材（椅子基部）
６　　縦部材の幅広部分（縦部材）
７　　縦部材の幅狭部分（縦部材）
８　　縦部材の傾斜段部（縦部材）
９　　軸孔（縦部材）
１０　収容部（椅子基部）
１１　収容部の横部（椅子基部）
１２　収容部の縦部（椅子基部）
１３　収容部の嵌合孔（椅子基部）
１４　収容部の係止孔（椅子基部）
１５　収容部の係止突部（椅子基部）
１７　操作部材
１８　横材（操作部材）
１９　横材の屈曲部（操作部材）
２０　屈曲部の上側凸縁（操作部材）
２１　屈曲部の下側凹縁（操作部材）
２２　縦杆（操作部材）
２３　縦杆の係止突起（操作部材）
２４　係止突起の先端（操作部材）
２５　フック（操作部材）
２６　フックの先端（操作部材）
２７　フックの上側屈曲部（操作部材）
３０　座板部
３１　幅広部（座板部）
３２　幅狭部（座板部）
３３　前側（座板部）
３４　後側（座板部）
３５　傾斜段部（座板部）
３６　切欠き（座板部）
３７　軸穴（座板部）
４０　後脚部
４１　縦部材
４２　縦部材の幅広部
４３　縦部材の幅狭部
４４　縦部材の傾斜段部
４５　縦部材の上縁
４７　横部材
４８　横部材の上縁
５０　軸ピン
５１　軸ピンの先端部
５２　隙間
５３　蝶番
５４　蝶番の軸
５５　取付板
５６　取付板の軸
６０　椅子
６１　クローゼットの横パイプ
【図１】
2004016266.tif 000003
【図２】
2004016266.tif 000004
【図３】
2004016266.tif 000005
【図４】
2004016266.tif 000006
【図５】
2004016266.tif 000007